(57)【要約】【課題】ユーザの近傍であってもタッチパネルの見えない位置に他のユーザが居る場合、必要以上に表示内容を変更することなくユーザにとって快適な視聴制限を行う。【解決手段】カメラ、タッチパネルリモコン検出部、ユーザ検出部、未登録ユーザ視認域内判定部、コンテンツ再生部、コンテンツ情報描画部、タッチパネルリモコンを備える。【選択図】図１
2010016583.tif 000002
【特許請求の範囲】
【請求項１】
視聴制限のあるコンテンツの視聴制限処理において登録されたユーザにのみ視聴を許可する視聴制限装置であって、
複数の表示デバイスと、
複数の表示デバイスの各々に関して複数のユーザのうち未登録のユーザがどの表示デバイスを視認できるか判定する視認状況判定手段と
視認状況判定手段の結果に基づき表示を制御する表示制御手段とも備えた、
視聴制限装置。
【請求項２】
視聴制限のあるコンテンツの視聴制限処理において登録されたユーザにのみ視聴を許可する視聴制限装置であって、
表示デバイスと、
ユーザを検出するユーザ検出手段と、
未登録のユーザが表示デバイスを視認できるか未登録のユーザと表示デバイスとの距離を測ることで判定する未登録ユーザ視認域内在判定手段と、
ユーザ検出手段と未登録ユーザ視認域内在判定手段の結果に基づき表示を制御する表示制御手段とを備えた、
視聴制限装置。
【発明の詳細な説明】
【技術分野】
【０００１】
本発明は視聴装置に関するものである。
【背景技術】
【０００２】
近年、デジタルＴＶや、ホームネットワーク機器といったＩＴ機器が複雑、高度化してきている。つまり、このようなＩＴ機器を遠隔操作するためのリモートコントローラの操作が非常に煩わしくなってきている。具体的には、ボタン数が増加し所望の操作をするためのボタンの発見に苦労を伴う、或いは、所望の操作を行うためにボタンを押下する回数が増加する等である。したがって、高齢者や情報弱者のみならず、日頃ＩＴ機器に接する機会の多い人にとってもその操作が困難なものとなってきている。
【０００３】
上記の事情に鑑み、操作性に優れたリモートコントローラとして、タッチパネルを用いるものがあった（例えば、特許文献１参照）。
【０００４】
一方、最近の情報家電を含む各種の情報機器においては、ユーザである利用者を識別する為のＩＤを持ち、当該ＩＤ毎にそれぞれ対応した、各種のプロファイル情報を設定、利用するものが知られている。即ち、利用者個人の趣味や嗜好に合わせた利用者毎のプロファイル情報を用いたものである。利用者毎のプロファイル情報は、デザインや必要な機能を整理したＧＵＩ（Ｇｒａｐｈｉｃ  Ｕｓｅｒ  Ｉｎｔｅｒｆａｃｅ）メニューの状態設定情報、あるいは、利用者に適した情報を提供する為のキーワード情報などである。この利用者毎のプロファイル情報を予め設定しておく。そして、情報機器の利用時に現在の利用者を、名称、記号等のＩＤにより識別する事で、プロファイル情報を呼び出す。そして、情報機器の持つ各種のサービス機能に利用していた。利用者を識別するために、情報機器を利用開始する際に、利用者に何らかのログイン操作を行わせていた。何らかのログイン操作とは、例えば、利用者個人の持つＩＤやパスワードを入力したり、あるいは表示画面上に自分に割り当てられたボタンを選択して押させたり、あるいは、リモコン装置に配置されたユーザボタンを押させるなどの操作であった。
【０００５】
しかしながら、上記の方法は、利用者の識別を行うために、多くの処理を求めるものであった。具体的には、情報機器を使用する利用者に、始めに利用者の設定を行う為の画面を表示させる。そして、自分のＩＤを代表する名称の入力や、ボタンの操作などの作業を行わせる。さらに、利用者の識別を行い、識別された結果に基づき必要な設定情報の読み込みを行う必要がある。このように、利用者が気軽にアクセス出来るような情報家電においては、この様な利用者に多くの手間を取らせる方法は、全く好ましく無いものであった。
【０００６】
さらに、デジタルテレビジョン装置に代表される様な家庭内における情報家電においては、リビングに設置され、複数の人数で利用される場合も多い。この様な場合は、特定の情報にアクセス制限されている利用者や、逆に、多くの権限を与えられている利用者が混在した場合なども想定される。したがって、どちらの利用者のＩＤを選択するべきか、利用者自身も、選択に困る場合も多かった。また、家庭内における情報家電においては、利用者が頻繁に入れ替わる事も多く、その都度、利用者の識別をする為の操作を行わせる事は事実上不可能であり、せっかくの利用者毎のプロファイル情報を保持していても、役に立たない場合も多かった。
【特許文献１】特開２００５−１３６５１８号公報
【発明の開示】
【発明が解決しようとする課題】
【０００７】
しかしながら、従来の技術ではユーザの近傍かつタッチパネルの見える位置に他のユーザが居る場合、他のユーザにタッチパネルに表示されている内容を見せたくなかったとしても、なんら考慮されない。したがって、ユーザにとって非常に不便な視聴制限動作となる。
【０００８】
本発明は、上記従来技術の課題を解決するもので、ユーザの近傍かつタッチパネルの見える位置に他のユーザが居る場合、他のユーザが登録されているか否かでタッチパネルに表示する内容を制御する視聴制限装置を提供することを目的とする。
【課題を解決するための手段】
【０００９】
上記従来の課題を解決するために、本発明の視聴制限装置は、カメラ、タッチパネルリモコン検出部、ユーザ検出部、未登録ユーザ視認域内判定部、コンテンツ再生部、コンテンツ情報描画部、タッチパネルリモコンから構成される。
【発明の効果】
【００１０】
本発明の視聴制限装置によれば、他のユーザにタッチパネルに表示されている内容を見せたくない場合、他のユーザが登録されているか否かでタッチパネルに表示する内容を制御することができるので、ユーザにとって快適な視聴制限を行うことができるという効果を有する。
【発明を実施するための最良の形態】
【００１１】
以下本発明の実施の形態について、図面を参照しながら説明する。
【００１２】
（実施の形態１）
図１は本発明の実施の形態１における使用の形態を表現した説明図である。図１に示す使用の形態は、テレビ受像機１０１、カメラ１０２、タッチパネルリモコン１０３から構成される。ここで、テレビ受像機１０１が本発明の視聴制限装置を内包しているものとして説明する。
【００１３】
テレビ受像機１０１はカメラ１０２と接続されており、カメラ１０２が撮影した画像から顔認証技術を用いて撮影されているユーザを判別する。そして、撮影されているユーザが予め登録されているユーザかどうか判定する。予め登録されているユーザであると判定された場合には、視聴制限の掛かったコンテンツやそのコンテンツに関する情報をＴＶ画面やタッチパネルリモコン１０３に表示する。さらに、撮影されているユーザが複数である場合であって、撮影されているユーザの中に未登録のユーザが含まれていると判定した場合、視聴制限の掛かったコンテンツやそのコンテンツに関する情報をＴＶ画面に表示する機能を抑制する機能を有している。さらに、撮影されているユーザが複数の場合であって、タッチパネルリモコン１０３が撮影されているユーザであって未登録であるユーザが視認できる範囲に存在する場合、視聴制限の掛かったコンテンツやそのコンテンツに関する情報をタッチパネルリモコン１０３に表示する機能を抑制する機能を有する。
【００１４】
カメラ１０２はテレビ受像機１０１のユーザとタッチパネルリモコン１０３を撮影し画像をテレビ受像機１０１へ送る。タッチパネルリモコン１０３は、テレビ受像機１０１のユーザが所望するコンテンツを視聴するためにユーザがチャンネルを操作したり、ＥＰＧ（Ｅｌｅｃｔｒｏｎｉｃ  Ｐｒｏｇｒａｍ  Ｇｕｉｄｅ）を操作したりするためのタッチパネル画面を有している。また、タッチパネル画面はＴＶ画面とは独立してＥＰＧを表示したり、裏番組といったコンテンツを視聴したりすることを可能にする。
【００１５】
図１はさらに視聴制限装置に登録されている登録ユーザ１０４と登録されていない未登録ユーザ１０５と未登録ユーザ１０５が視認できる範囲として未登録ユーザ視認域１０６を示している。
【００１６】
図２はタッチパネルリモコン１０３の操作の形態を表現した説明図である。図２に示すタッチパネルリモコン１０３はユーザのタッチを検知しユーザの所望するコンテンツやコンテンツに関する情報を表示するタッチパネル画面２０１を有している。ユーザのタッチはユーザが指で触れても良いし、ユーザの持った専用のペンで触れても良い。
【００１７】
図３は本発明の実施の形態１における視聴制限装置の構成図である。図３に示す視聴制限装置は、カメラ３０１、タッチパネルリモコン検出部３０２、ユーザ検出部３０３、未登録ユーザ視認域内判定部３０４、デジタルＴＶチューナ３０６、コンテンツ再生部３０７、コンテンツ情報描画部３０８、ネットワークＩ／Ｆ３０９、ＴＶ画面３１０、タッチパネルリモコン３１１から構成される。ここで、タッチパネルリモコン検出部３０２、ユーザ検出部３０３、未登録ユーザ視認域内判定部３０４、デジタルＴＶチューナ３０６、コンテンツ再生部３０７、コンテンツ情報描画部３０８、ネットワークＩ／Ｆ３０９、ＴＶ画面３１０は図１に示したテレビ受像機１０１に内包されているものとして説明する。
【００１８】
カメラ３０１はユーザとタッチパネルリモコン３１１の位置関係が求められるようにＴＶ受像機１０１の周囲を周期的に撮影し、撮影した画像をタッチパネルリモコン検出部３０２とユーザ検出部３０３へ送る。
【００１９】
タッチパネルリモコン検出部３０２はカメラ３０１から受け取った画像を解析し、タッチパネルリモコン１０３が画像内のどこに位置するかといった位置情報を求めタッチパネルリモコン位置情報として未登録ユーザ視聴域内在判定部３０４へ送る。ところで、画像解析によるタッチパネルリモコン３１１の検出方法に関しては本願の主眼ではないので特に構成を限定するものでは無いが、例えば、タッチパネルリモコン３１１がビーコンのためのＬＥＤを備えて所定のパルスで発光するように構成すれば画像解析による検知は容易である。
【００２０】
ユーザ検出部３０３はカメラ３０１から受け取った画像を解析し、ユーザの検出状況に応じた検出結果をユーザ検出情報としてコンテンツ再生部３０７とコンテンツ情報描画部３０８へ送る。以降説明を容易にするためにいずれのユーザも検出されなかった場合の検出結果を値“００”、未登録ユーザが検出された場合の検出結果を値“０１”、登録ユーザが検出された場合の検出結果を値“１０”、いずれのユーザも検出された場合の検出結果を値“１１”とする。また、ユーザ検出部３０３は未登録ユーザが画像内のどこに位置するかといった位置情報を求め未登録ユーザ位置情報として未登録ユーザ視認域内在判定部３０４へ送る。ここで、ユーザは複数人であっても良く、その場合は複数の未登録ユーザ位置情報が出力される。ところで、画像解析によるユーザの検出方法は本願の主眼ではないので特に構成を限定するものではないが、例えば、顔認証による検出方法が選択可能である。
【００２１】
未登録ユーザ視認域内判定部３０４はタッチパネルリモコン検出部３０２から受け取ったタッチパネルリモコン位置情報とユーザ検出部３０３から受け取った未登録ユーザ位置情報を元に、未登録ユーザが視認できる範囲にタッチパネルリモコン３１１が存在するか否かを判定し、その判定結果を視聴許可抑制情報としてコンテンツ再生部３０７とコンテンツ情報描画部３０８へ送る。未登録ユーザの視認できる範囲にタッチパネルリモコン３１１が存在するか否かの判定方法の具体例としては、タッチパネルリモコン位置情報と未登録ユーザ位置情報を元に両者の間の距離を求め、その距離が一定値以下であるならばタッチパネルリモコン３１１が未登録ユーザの視認できる範囲に存在すると判定する方法がある。しかしながら、判定方法はこの限りではないし、未登録ユーザ位置情報は複数であっても良い。以降説明を容易にするために視認できる範囲に存在した場合の判定結果を論理“１”、存在しなかった場合の判定結果を論理“０”として視聴許可抑制情報の状態を表示する。
【００２２】
デジタルＴＶチューナ３０６はアンテナから受け取ったデジタルＴＶ放送の電波からユーザの所望するチャンテルにチューニングし復調することによりＭＰＥＧ  ＴＳ（ＭＰＥＧトランスポートストリーム）を得る。さらに、ＭＰＥＧ  ＴＳはＭＰＥＧ  ＴＤ（ＭＰＥＧトランスポートデコーダ）でデコードすることにより、コンテンツ（ＭＰＥＧオーディオビデオストリームやＪＰＥＧやＧＩＦ等のデジタル画像）とコンテンツ情報（ＥＰＧ情報やデータ放送などコンテンツに関する情報）を得る。ここでコンテンツ情報はコンテンツの視聴制限に関する視聴制限情報を含んでいて、その論理は視聴制限されるべきコンテンツの場合は論理“１”、視聴制限されないコンテンツの場合は論理“０”である。さらに、得られたコンテンツをコンテンツ再生部３０７へ送り、コンテンツ情報をコンテンツ情報描画部３０８へ送る。
【００２３】
コンテンツ再生部３０７はデジタルＴＶチューナ３０６から受け取ったコンテンツをＭＰＥＧ  ＡＶＤ（ＭＰＥＧオーディオビデオデコーダ）でオーディオとビデオの非圧縮データ（ＡＶデータ）にデコードし、未登録ユーザ視認域内判定部３０４から受け取った視聴許可抑制情報とユーザ検出部３０３から受け取ったユーザ検出情報とデジタルＴＶチューナ３０６から受け取った視聴制限情報を元に、ＡＶデータをネットワークＩ／Ｆ３０９とＴＶ画面３１０へ送るか否か個別に判定し、送ると判定した場合に出力する。コンテンツ再生部３０７の出力に関する判定の論理は図４の通りである。
【００２４】
コンテンツ情報描画部３０８はデジタルＴＶチューナ３０６から受け取ったコンテンツ情報を文字フォントデータや罫線等のグラフィクス表示を用いてコンテンツ情報をユーザの理解できる画像データに変換し、未登録ユーザ視認域内判定部３０４から受け取った視聴許可抑制情報とユーザ検出部３０３から受け取ったユーザ検出情報とデジタルＴＶチューナ３０６から受け取った視聴制限情報を元に、画像データをネットワークＩ／Ｆ３０９とＴＶ画面３１０へ送るか否か個別に判定し、送ると判定した場合に出力する。コンテンツ情報描画部３０８の出力に関する判定の論理は図４の通りである。
【００２５】
ネットワークＩ／Ｆ３０９はタッチパネルリモコン３１１と通信するためのインターフェースであり、様々な構成をとり得るが、説明を単純化するために無線ＬＡＮ（Ｌｏｃａｌ  Ａｒｅａ  Ｎｅｔｗｏｒｋ）Ｉ／Ｆであるとする。ネットワークＩ／Ｆ３０９はコンテンツ再生部３０７から受け取ったＡＶデータとコンテンツ情報描画部から受け取った画像データを無線ＬＡＮのパケットに変換しタッチパネルリモコン３１１へ送る。このとき、より詳細に言えばＴＣＰ／ＩＰ等の通信プロトコルの処理を行う必要があるが、本願の主眼ではないので説明を省略する。
【００２６】
ＴＶ画面３１０は受け取ったデータからユーザが目で見て知覚できる画像を生成するデバイスで液晶ディスプレイパネルやプラズマディスプレイパネル等であり、コンテンツ再生部３０７から受け取ったＡＶデータとコンテンツ情報描画部から受け取った画像データをユーザが知覚できる画像に変換して表示する。
【００２７】
タッチパネルリモコン３１１は前記ネットワークＩ／Ｆ３０９が無線ＬＡＮ  Ｉ／Ｆで構成されていると仮定したのでタッチパネルリモコン３１１も無線ＬＡＮ  Ｉ／Ｆを内蔵しているものとする。また、ユーザのタッチを検出し、かつ、ＴＶ画面と同様に画像を表示することが可能なタッチパネルを有している。タッチパネルリモコン３１１はコンテンツ再生部３０７からネットワークを介して受け取ったＡＶデータとコンテンツ情報描画部３０８からネットワークを介して受け取った画像データをタッチパネル画面へユーザが知覚できる画像に変換して表示する。ここでタッチパネルをユーザがタッチすることでＴＶ受像機１０１を制御することが可能になるが、ユーザのタッチをＴＶ受像機に伝達する具体的な処理手順は本願の主眼ではないので説明を省略する。
【００２８】
図４は本発明の実施の形態１におけるコンテンツ再生部３０７とコンテンツ情報描画部１０８の出力に関する判定の論理を示した説明図である。
【００２９】
なお、実施の形態１では音声の取り扱い手順の説明を省略しているが、ＴＶ画面３１０やタッチパネルといった画像を表示するデバイスがスピーカの様な音声発生デバイスに置き換わるだけで、そこに至るまでのデータの処理手順はビデオや画像と特段変わりはない。
【００３０】
以上、本発明にかかわる視聴制限装置について、実施の形態に基づいて説明したが、本発明は上記の実施の形態に限られる訳ではない。
【００３１】
例えば、視聴制限装置を内蔵する装置をテレビ受像機としたが、テレビ録画装置、ゲーム機、パーソナルコンピュータ、携帯端末等であっても良い。
【００３２】
また、視聴制限装置はタッチパネルリモコンに内蔵しても良いし、機能ブロックの一部をソフトウェアとして他の機器へネットワークを介して配布し分散処理しても良い。
【００３３】
また、コンテンツはデジタルＴＶ放送コンテンツとしたが、デジタルＴＶ放送の録画コンテンツ、インターネット放送コンテンツ、ディスクメディアコンテンツ、半導体メディアコンテンツ等であっても良い。
【００３４】
なお、各機能ブロックは典型的には集積回路であるＬＳＩとして実現される。これらは個別に１チップ化されても良いし、一部又は全てを含むように１チップ化されても良い。
【００３５】
ここでは、ＬＳＩとしたが、集積度の違いにより、ＩＣ、システムＬＳＩ、スーパーＬＳＩ、ウルトラＬＳＩと呼称されることもある。
【００３６】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  ＰｒｏｇｒａｍｍａｂｌｅＧａｔｅ  Ａｒｒａｙ）や、ＬＳＩ内部の回路セルの接続や設定を再構成可能なリコンフィギュラブル・プロセッサーを利用しても良い。
【００３７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてあり得る。
【産業上の利用可能性】
【００３８】
本発明にかかる視聴制限装置は、カメラ、タッチパネルリモコン検出部、ユーザ検出部、未登録ユーザ視認域内判定部、コンテンツ再生部、コンテンツ情報描画部、タッチパネルリモコンを有し、テレビやＤＶＤ／ＢＤレコーダ等として有用である。
【図面の簡単な説明】
【００３９】
【図１】本発明の実施の形態１における使用の形態を表現した説明図
【図２】本発明の実施の形態１における図２はタッチパネルリモコン１０３の操作の形態を表現した説明図
【図３】本発明の実施の形態１における視聴制限装置の構成図
【図４】本発明の実施の形態１における出力に関する判定の論理を示した説明図
【符号の説明】
【００４０】
１０１    テレビ受像機
１０２    カメラ
１０３    タッチパネルリモコン
１０４    登録ユーザ
１０５    未登録ユーザ
１０６    未登録ユーザ視認域
２０１    タッチパネル画面
３０１    カメラ
３０２    タッチパネルリモコン検出部
３０３    ユーザ検出部
３０４    未登録ユーザ視認域内判定部
３０６    デジタルＴＶチューナ
３０７    コンテンツ再生部
３０８    コンテンツ情報描画部
３０９    ネットワークＩ／Ｆ
３１０    ＴＶ画面
３１１    タッチパネルリモコン
【図１】
2010016583.tif 000003
【図２】
2010016583.tif 000004
【図３】
2010016583.tif 000005
【図４】
2010016583.tif 000006